(57)【要約】【課題】複数のネットワーク機器が接続する環境下で、ネットワークパケットの解析だけでは、通信しているネットワーク機器の物理的な特定が出来ない。【解決手段】ネットワークとネットワーク機器のあいだにネットワーク機器特定装置を接続し、送受信されるネットワークパケットを解析する。解析時に、送信データからは、送信元アドレスを記憶し、送信先アドレスを表示し、受信データからは、記憶した送信元アドレスと比較して、受信データ中の送信先アドレスと一致すれば、その送信先アドレスを表示する。ネットワーク機器特定装置を各ネットワーク機器とネットワークのあいだに接続することで、物理的な特定を容易化する。【選択図】図２
2005175755.tif 000002
【特許請求の範囲】
【請求項１】
複数のネットワーク機器に接続され、
所定のネットワーク機器が送受信したデータを解析するプロトコル解析部と、
送信元アドレス記憶部と、送信相手表示部と、受信情報表示部とを備え、
前記プロトコル解析部は、
前記所定のネットワーク機器が送信したデータから第１の送信元アドレスと第１の送信先アドレスとを抽出し、前記第１の送信元アドレスを前記送信元アドレス記憶部に記憶するとともに前記第１の送信先アドレスを前記送信相手表示部に表示し、
前記所定のネットワーク機器が受信したデータから第２の送信先アドレスを抽出し、前記第２の送信先アドレスと前記送信元アドレス記憶部に記憶された前記第１の送信元アドレスとを比較して、一致する場合は前記第２の送信先アドレスを前記受信情報表示部に表示することを特徴とするネットワーク機器特定装置。
【請求項２】
前記複数のネットワーク機器とデータの送受信を行う第１および第２の送受信部をさらに備え、
前記第１の送受信部は前記所定のネットワーク機器に接続され、前記第２の送受信部は前記所定のネットワーク機器以外のネットワーク機器と接続されており、
前記プロトコル解析部は、前記第１の送受信部で受信したデータから前記第１の送信元アドレスと前記第１の送信先アドレスとを抽出し、前記第２の送受信部で受信したデータから前記第２の送信先アドレスを抽出することを特徴とする請求項１記載のネットワーク機器特定装置。
【請求項３】
複数のネットワーク機器に接続され、
所定のネットワーク機器が送受信したデータを解析するプロトコル解析部と、
送信相手表示部と、受信情報表示部とを備え、
前記プロトコル解析部は、
前記所定のネットワーク機器が送信したデータから送信元アドレスと送信先アドレスとを抽出し、前記送信先アドレスを前記送信相手表示部に表示するとともに、前記送信元アドレスと前記送信先アドレスとに基づいて独自情報を含んだデータを生成して出力し、
前記所定のネットワーク機器に対して送信されたデータを解析し、前記独自情報を含むデータから送信先アドレスを抽出して前記受信情報表示部に表示することを特徴とするネットワーク機器特定装置。
【請求項４】
前記複数のネットワーク機器とデータの送受信を行う第１および第２の送受信部をさらに備え、
前記第１の送受信部は前記所定のネットワーク機器に接続され、前記第２の送受信部は前記所定のネットワーク機器以外のネットワーク機器と接続されており、
前記プロトコル解析部は、前記第１の送受信部で受信したデータから前記送信元アドレスと前記送信先アドレスとを抽出し、前記第２の送受信部から前記独自情報を含むデータを出力し、前記第２の送受信部で受信したデータを解析して前記独自情報を含むデータから送信先アドレスを抽出することを特徴とする請求項３記載のネットワーク機器特定装置。
【請求項５】
前記第１の送受信部と前記第２の送受信部とは互いに接続されており、
前記第１の送受信部で受信したデータは、前記第２の送受信部を経由して複数のネットワーク機器に出力され、
前記第２の送受信部で受信したデータは、前記第１の送受信部を経由して前記所定のネットワーク機器に出力されることを特徴とする請求項２または４いずれかに記載のネットワーク機器特定装置。
【請求項６】
複数のネットワーク機器に接続され、
前記ネットワーク機器とデータの送受信を行う第１および第２の送受信部と、
前記第１の送受信部で受信したデータから送信元アドレスを抽出するプロトコル解析部と、
前記プロトコル解析部で抽出した前記送信元アドレスを表示するアドレス表示部とを備え、
前記第１の送受信部と前記第２の送受信部とは互いに接続されており、
前記第１の送受信部で受信したデータは、前記第２の送受信部からネットワーク機器に出力され、
前記第２の送受信部で受信したデータは、前記第１の送受信部からネットワーク機器に出力されることを特徴とするネットワーク機器特定装置。
【発明の詳細な説明】
【技術分野】
【０００１】
本発明は、サーバ機器とクライアント機器が複数存在する環境下でのメンテナンスを容
易化するネットワーク機器特定装置に関するものである。
【背景技術】
【０００２】
ネットワークにつながる機器の通信状況を解析し、表示するものとして、一般的には、ネットワークアナライザもしくは、プロトコルアナライザが用いられる。
【０００３】
このネットワークアナライザは、ネットワークに接続されるパーソナルコンピュータに組み込まれたソフトウェアもしくは、ネットワークの通信状況を解析する専用のハードウェアが使われている。実際のネットワークアナライザは、その目的が、企業などのネットワーク環境下における障害を解析するためなどに使用されており、ネットワークで通信されるパケットをすべてキャプチャーして、その内容をプロトコルにしたがって解析するというものである。キャプチャーと解析は、ネットワークアナライザの性能によっては、同時に行うことができるものも存在する。
【０００４】
しかし、単純なネットワークアナライザでは、プロトコルの内容を表示するだけなのでたとえば、I Pアドレスを表示させ、アドレスAとアドレスBの機器が通信していることがわかっても、物理的にどの機器とどの機器が通信しているかを特定するのが困難であった。図９は、従来のネットワークアナライザを接続してのプロトコルの解析イメージである。９０１は、ネットワークアナライザ、９０２、９０３、９０４は、それぞれネットワーク機器１から３とし、９０５は、ネットワークハブである。ネットワーク機器１から３およびネットワークアナライザ９０１は、ネットワークハブ９０５に接続して通信している。ネットワークアナライザ９０１は、ネットワークハブ９０５に接続する機器間の通信をモニタリングし、たとえばＩＰアドレスAとＩＰアドレスBが通信していることを解析・表示することができるが、物理的な機器の特定はできないという欠点があった。物理的な通信相手の特定には、ネットワークから個別の機器を取り外すなど更なる作業が必要となる。多くのサーバ機器とクライアント機器が存在するネットワークでは、具体的にどの機器とどの機器が通信しているかの特定が困難で、機器の更新などのメンテナンス時にどのサービスやネットワーク機器が影響を受けるかを特定することが困難となる。
【０００５】
通信相手の特定ではないが、ＩＰアドレスとユーザを関連付けしてネットワークの利用状況を把握する手法がある（たとえば、特許文献１参照。）。この方法は、各サーバとの通信の際に、認証データがやり取りされるが、認証データをモニタリングノードでユーザとＩＰアドレスの関連付けを行うと同時にその情報を蓄積することでネットワークの利用状況を把握する。しかし、この方法では、物理的なネットワーク機器を特定するまでには至らない。
【特許文献１】特開２００１−４４９９２号公報（第７−１１頁、第５図）
【発明の開示】
【発明が解決しようとする課題】
【０００６】
解決しようとする問題点は、ネットワークプロトコルの解析・表示において、物理的な機器の特定ができない点である。
【課題を解決するための手段】
【０００７】
上記課題を解決するために、本発明は、複数のネットワーク機器に接続され、所定のネットワーク機器が送受信したデータを解析するプロトコル解析部と、送信元アドレス記憶部と、送信相手表示部と、受信情報表示部とを備え、プロトコル解析部は、所定のネットワーク機器が送信したデータから第１の送信元アドレスと第１の送信先アドレスとを抽出し、第１の送信元アドレスを送信元アドレス記憶部に記憶するとともに第１の送信先アドレスを送信相手表示部に表示し、所定のネットワーク機器が受信したデータから第２の送信先アドレスを抽出し、第２の送信先アドレスと送信元アドレス記憶部に記憶された第１の送信元アドレスとを比較して、一致する場合は第２の送信先アドレスを受信情報表示部に表示する。
【０００８】
また本発明は、複数のネットワーク機器とデータの送受信を行う第１および第２の送受信部をさらに備え、第１の送受信部は所定のネットワーク機器に接続され、第２の送受信部は所定のネットワーク機器以外のネットワーク機器と接続されており、プロトコル解析部は、第１の送受信部で受信したデータから第１の送信元アドレスと第１の送信先アドレスとを抽出し、第２の送受信部で受信したデータから第２の送信先アドレスを抽出する。
【０００９】
また本発明は、複数のネットワーク機器に接続され、所定のネットワーク機器が送受信したデータを解析するプロトコル解析部と、送信相手表示部と、受信情報表示部とを備え、プロトコル解析部は、所定のネットワーク機器が送信したデータから送信元アドレスと送信先アドレスとを抽出し、送信先アドレスを送信相手表示部に表示するとともに、送信元アドレスと送信先アドレスとに基づいて独自情報を含んだデータを生成して出力し、所定のネットワーク機器に対して送信されたデータを解析し、独自情報を含むデータから送信先アドレスを抽出して受信情報表示部に表示する。
【００１０】
また本発明は、複数のネットワーク機器とデータの送受信を行う第１および第２の送受信部をさらに備え、第１の送受信部は所定のネットワーク機器に接続され、第２の送受信部は所定のネットワーク機器以外のネットワーク機器と接続されており、プロトコル解析部は、第１の送受信部で受信したデータから送信元アドレスと送信先アドレスとを抽出し、第２の送受信部から独自情報を含むデータを出力し、第２の送受信部で受信したデータを解析して独自情報を含むデータから送信先アドレスを抽出する。
【００１１】
また本発明は、第１の送受信部と前記第２の送受信部とは互いに接続されており、第１の送受信部で受信したデータは、第２の送受信部を経由して複数のネットワーク機器に出力され、第２の送受信部で受信したデータは、第１の送受信部を経由して所定のネットワーク機器に出力される。
【００１２】
また本発明は、複数のネットワーク機器に接続され、ネットワーク機器とデータの送受信を行う第１および第２の送受信部と、第１の送受信部で受信したデータから送信元アドレスを抽出するプロトコル解析部と、プロトコル解析部で抽出した送信元アドレスを表示するアドレス表示部とを備え、第１の送受信部と第２の送受信部とは互いに接続されており、第１の送受信部で受信したデータは、第２の送受信部からネットワーク機器に出力され、第２の送受信部で受信したデータは、第１の送受信部からネットワーク機器に出力される。
【発明の効果】
【００１３】
本発明のネットワーク機器特定装置をネットワーク機器とネットワークの間に接続することで物理的に通信しあっていることが確認でき特定のネットワーク機器のメンテナンスを行う場合には、通信している物理的な相手を容易に特定できるという利点がある。
【発明を実施するための最良の形態】
【００１４】
ネットワークで通信するネットワーク機器の特定を容易にする目的を最小の構成で実現した。
【００１５】
（実施の形態１）
図１は、実施の形態１における使用イメージを表す構成図であって、１０１は対象となるネットワーク機器、１０２はネットワーク機器特定装置、１０３はネットワークハブである。本発明装置は、検査対象とするネットワーク機器１０１とネットワークハブ１０３もしくは、情報コンセントなどの外部ネットワークとの間に接続して使用する。図２は、本発明装置の実施の形態１の構成図であって、２０１は本装置とネットワーク機器との接続部をもつ第一送受信部、２０２は本装置とネットワークハブなどとの接続部を持つ第二送受信部、２０３はプロトコル解析部、２０４は送信相手表示部、２０５は受信情報表示部、２０６は送信元アドレス記憶部である。図１において、本発明装置は、２０１の第一送受信部が、ネットワーク機器１０１と接続され、２０２の第二送受信部がネットワークハブ１０３と接続されている。
【００１６】
図２を使ってネットワーク機器特定装置全体の動作を説明する。まずネットワーク機器１０１がデータを送信する場合を説明する。ネットワーク機器１０１と第一送受信部２０１が接続しており、ネットワーク機器１０１は通信相手のネットワーク機器に対するデータをネットワークパケットとして送信する。
【００１７】
第一送受信部２０１はネットワーク機器１０１から出力された前記ネットワークパケットを受信する。第一送受信部は、受信したネットワークパケットを第二送受信部２０２に出力すると同時にプロトコル解析部２０３にも出力する。
【００１８】
プロトコル解析部２０３は、第一送受信部２０１から入力されたネットワークパケットを解析し、パケットに含まれる送信先と送信元のＩＰアドレスを抽出する（パケットに含まれるＩＰアドレスのデータ構造については後述する）。抽出した送信元のＩＰアドレスを送信元アドレス記憶部２０６に記録し、抽出した送信先のＩＰアドレスを送信相手表示部２０４に表示する。
【００１９】
第二送受信部２０２は、第一送受信部２０１から出力されたネットワークパケットをそのままネットワークハブ１０３に出力する。
【００２０】
次にネットワークハブ１０３を経由して他のネットワーク機器からのデータをネットワーク機器１０１が受信する場合を説明する。ネットワークハブ１０３と第二送受信部２０２が接続しており、ネットワークハブ１０３を経由して、他のネットワーク機器からのデータをネットワークパケットとして受信する。第二送受信部２０２は、ネットワークハブ１０３から出力された前記ネットワークパケットを第一送受信部２０１に出力すると同時にプロトコル解析部２０３にも出力する。
【００２１】
プロトコル解析部２０３は、第二送受信部２０２から入力されたネットワークパケットを解析し、パケットに含まれる送信先と送信元のＩＰアドレスを抽出する。抽出した送信先アドレスと送信元アドレス記憶部２０６に記憶したＩＰアドレスとが一致するかを判定し、一致する場合、受信情報表示部２０５に送信先アドレスを表示する。一致しない場合は、何もせずに終了する。第一送受信部２０１は、第二送受信部２０２からの出力をそのまま接続するネットワーク機器１０１に出力する。
【００２２】
図３は、ＩＰプロトコルパケットのフォーマットを示している。ＩＰプロトコルは、公知であり、ここでは関連するフィールドのみを記述している。ＩＰプロトコルのデータパケット３００は、ＩＰヘッダ３０１、データフィールド３０２から構成される。ＩＰヘッダ３０１には、あとのデータフィールド３０２に含まれる上位プロトコル（代表的な上位プロトコルとしてＴＣＰなどが知られる）を示すプロトコルフィールド３０３、送信元アドレスを記述するソースＩＰアドレス３０４、送信先アドレスを記述するデスティネーションＩＰアドレス３０５を含む複数のフィールドより構成される。
【００２３】
前述のプロトコル解析部２０３は、このＩＰヘッダの内容を解析することを前提に説明したが、ＩＰヘッダではなく、物理的なアドレスを含むイーサネット（Ｒ）のフレームヘッダにも送信元と送信先のアドレスが含まれており、同等の機能を実現することができる。また、上位プロトコルであるＴＣＰやＵＤＰなどのプロトコルでも、そのヘッダにはアドレスではないが送信元と送信先のポート番号が含まれており、これを使用することも想定できる。このことから、本発明はＩＰプロトコルに限定されているわけではない。
【００２４】
さらに具体的な動作について図４を用いて説明する。図４では、ネットワーク機器４０１〜４０３が接続され、それぞれのネットワーク機器は、ネットワークハブ４０４と本発明装置のネットワーク機器特定装置４０５〜４０７で接続されている。またネットワーク機器４０１〜４０３は、それぞれＩＰアドレスが「１３２．１８２．３８．２」「１３２．１８２．３８．３」「１３２．１８２．３８．４」が割り振られているとする。このような状況下で、ネットワーク機器４０１とネットワーク機器４０３が通信している場合を説明する。
【００２５】
ネットワーク機器４０１がネットワーク機器４０３にデータを送信する場合、ネットワーク機器特定装置４０５には、送信元アドレス「１３２．１８２．３８．２」、送信先アドレス「１３２．１８２．３８．４」が記述されたネットワークパケットが第一送受信部２０１で受信される。第一送受信部２０１は、受信したネットワークパケットを第二送受信部２０２に出力すると同時にプロトコル解析部２０３にも出力する。プロトコル解析部２０３は、第一送受信部２０１から入力されたネットワークパケットを解析し、パケットに含まれる送信先アドレス「１３２．１８２．３８．４」と送信元アドレス「１３２．１８２．３８．２」を抽出する。抽出した送信元アドレスを送信元アドレス記憶部２０６に記録し、抽出した送信先アドレス「１３２．１８２．３８．４」を送信相手表示部２０４に表示する。また、第二送受信部２０２は、第一送受信部２０１からの出力をそのまま、接続するネットワークハブ４０４に出力する。
【００２６】
ネットワーク機器４０１がネットワーク機器４０３からデータを受信する場合、ネットワーク機器特定装置４０５には、送信元アドレス「１３２．１８２．３８．４」、送信先アドレス「１３２．１８１．３８．２」が記述されたネットワークパケットが第二送受信部２０２で受信される。第二送受信部２０２は、受信したネットワークパケットを第一送受信部２０１に出力すると同時にプロトコル解析部２０３にも出力する。プロトコル解析部２０３は、第二送受信部２０２から入力されたネットワークパケットを解析し、パケットに含まれる送信先アドレス「１３２．１８２．３８．２」と送信元アドレス「１３２．１８２．３８．４」を抽出する。抽出した送信先アドレスと送信元アドレス記憶部２０６に記憶したＩＰアドレスが一致するので受信情報表示部２０５に送信先アドレス「１３２．１８２．３８．２」を表示する。第一送受信部２０１は、第二送受信部２０２からの出力をそのまま接続するネットワーク機器４０１に出力する。
【００２７】
同様に、ネットワーク機器特定装置４０７には、第一送受信部２０１に送信元アドレス「１３２．１８２．３８．４」、送信先アドレス「１３２．１８２．３８．２」のネットワークパケットが受信され、送信相手表示部２０４には、「１３２．１８２．３８．２」と表示され、第二送受信部２０２に送信元アドレス「１３２．１８２．３８．２」、送信先アドレス「１３２．１８２．３８．４」のネットワークパケットが受信され、受信情報表示部２０５には、「１３２．１８２．３８．４」と表示されることになる。
【００２８】
このようにして、送信相手表示部２０４と受信情報表示部２０５に表示される内容が同じ、ネットワーク機器特定装置４０５と４０７に接続される、ネットワーク機器４０１と４０３が通信していることが表示を見ることで確認できる。
【００２９】
なお、ＩＰアドレスは、ＤＨＣＰ機能などで動的に割り当てられるケースがあり、固定的なアドレスを使用しないケースもあるが、同じ時刻での情報として表示を確かめることで、特定が可能である。
【００３０】
なお、ＩＰアドレスを全部表示する代わりに、視覚的にわかりやすくするためには、通常は、そのアドレスの下位１バイトの値を表示しても構わない。同様にこれを色で表示することも識別性を向上させるためには有効である。色などのほかにもＩＰアドレスに特定の識別子を対応させ表示することも考えられる。
【００３１】
また、ＩＰアドレス表示はひとつとは限らない。複数の通信相手がある場合には複数のアドレスを表示することも考えられる。さらに新しく表示する際に、時刻情報と合わせて表示しても構わない。
【００３２】
なお、ネットワーク機器そのものに本発明のネットワーク機器特定装置を内蔵することも考えられる。
【００３３】
（実施の形態２）
図５は、本発明装置の実施の形態２で使用する独自パケットの例である。このパケットは、ＩＰプロトコルパケット５００は、ＩＰヘッダ５０１、データフィールド５０２からなる。データフィールド５０２には、独自パケットを示す独自パケット識別子５０３が含まれている。実施の形態２における使用イメージは、実施の形態１で説明した図１と同様である。図６は、本発明装置の実施の形態２の構成図であって、６０１は本装置とネットワーク機器との接続部をもつ第一送受信部、６０２は本装置とネットワークハブなどとの接続部を持つ第二送受信部、６０３はプロトコル解析部、６０４は送信相手表示部、６０５は受信情報表示部である。図１において、本発明装置は、６０１の第一送受信部が、ネットワーク機器１０１と接続され、６０２の第二送受信部がネットワークハブ１０３と接続されている。
【００３４】
このとき、図６を使ってネットワーク機器特定装置全体の動作を説明する。まずは、ネットワーク機器１０１が、データを送信する場合を説明する。ネットワーク機器１０１と第一送受信部６０１が接続しており、ネットワーク機器１０１は、通信相手のネットワーク機器に対するデータをネットワークパケットとして送信する。
【００３５】
第一送受信部６０１は、ネットワーク機器１０１から出力された前記のネットワークパケットを受信する。第一送受信部は、受信したネットワークパケットを第二送受信部６０２に出力すると同時にプロトコル解析部６０３にも出力する。
【００３６】
プロトコル解析部６０３は、第一送受信部６０１から入力されたネットワークパケットを解析し、パケットに含まれる送信先と送信元のＩＰアドレスを抽出する。抽出した送信先アドレスを送信相手表示部６０４に表示する。また、抽出した送信先のＩＰアドレスと送信元のＩＰアドレスを使用して、図５で説明した独自パケット５００を生成し、これを第二送受信部に出力する。第二送受信部６０２は、第一送受信部６０１から出力されたネットワークパケットとプロトコル解析部６０３から出力された独自パケット５００とをネットワークハブ１０３に出力する。
【００３７】
次にネットワークハブ１０３を経由して他のネットワーク機器からのデータをネットワーク機器１０１が受信する場合を説明する。ネットワークハブ１０３と第二送受信部６０２が接続しており、ネットワークハブ１０３を経由して、他のネットワーク機器からのデータをネットワークパケットとして受信する。第二送受信部６０２は、ネットワークハブ１０３から出力された前記ネットワークパケットを第一送受信部６０１に出力すると同時にプロトコル解析部６０３にも出力する。プロトコル解析部６０３は、第二送受信部６０２から入力されたネットワークパケットを解析し、独自パケット５００を検出した場合に、パケットに含まれる送信先のＩＰアドレスを抽出し、受信情報表示部６０５に送信先アドレスを表示する。第一送受信部６０１は、第二送受信部６０２からの出力をそのまま接続するネットワーク機器１０１に出力する。
【００３８】
このように、独自パケットを用いることで本発明のネットワーク機器特定装置を付けたものだけの通信情報を表示することができる。
【００３９】
（実施の形態３）
図７は、本発明装置の実施の形態３の構成図であって、７０１は本装置とネットワーク機器との接続部をもつ第一送受信部、７０２は本装置とネットワークハブなどとの接続部を持つ第二送受信部、７０３はプロトコル解析部、７０４はアドレス表示部である。このように構成された本発明のネットワーク機器特定装置は、図８のように他のネットワーク機器と接続されている。つまり、ネットワーク機器特定装置８０１の第一送受信部７０１は、ネットワーク機器８０２と接続し、ネットワーク機器特定装置８０１の第二送受信部７０２は、ネットワークハブ８０３と接続している。また、ネットワーク機器特定装置８０４の第一送受信部７０１は、ネットワークハブ８０３と接続し、ネットワーク機器特定装置８０４の第二送受信部７０２は、ネットワーク機器８０５と接続されている。このときの、全体動作を具体的に説明する。
【００４０】
ネットワーク機器８０２がネットワーク機器８０５に対してデータを送信した場合、ネットワーク機器特定装置８０１の第一送受信部７０１が、ネットワークパケットを受信する。第一送受信部７０１は、受信したネットワークパケットをそのまま第二送受信部７０２に送ると同時に、プロトコル解析部７０３に出力する。プロトコル解析部７０３は、入力されたネットワークプロトコルを解析し、送信元アドレスを抽出する。抽出した送信元アドレスをアドレス表示部７０４に表示する。第二送受信部７０２は、第一送受信部７０１から出力されたネットワークパケットをそのまま、ネットワークハブ８０３へ出力する。逆方向の通信に関しては、ネットワーク機器特定装置８０１は、そのままデータを通過させる。
【００４１】
次に、ネットワーク機器特定装置８０４の第一送受信部７０１は、ネットワークハブ８０３からネットワーク機器８０１が送信したデータを受信する。ネットワーク機器特定装置８０１での説明と同じ動作をすることで、アドレス表示部７０４には、ネットワークハブ８０３経由で受信した、ネットワーク機器８０２のアドレスが表示される。
【産業上の利用可能性】
【００４２】
本発明のネットワーク機器特定装置を個々のネットワーク機器に必要なときに接続すれば、表示部を見るだけで、通信しているネットワーク機器の特定が可能となり、ネットワーク構成を変更する場合や、機器の入れ替えなどのメンテナンスなどに適用できる。
【図面の簡単な説明】
【００４３】
【図１】本発明の実施の形態１に於ける使用イメージを示した説明図
【図２】本発明の実施の形態１に於ける実施方法を説明した構成図
【図３】ＩＰプロトコルパケットの構造を示した説明図
【図４】本発明の実施の形態１に於ける具体例を示した説明図
【図５】本発明の実施の形態2に於ける独自パケットの構造を示した説明図
【図６】本発明の実施の形態２に於ける実施方法を説明した構成図
【図７】本発明の実施の形態３に於ける実施方法を説明した構成図
【図８】本発明の実施の形態３に於ける使用イメージを示した説明図
【図９】従来のネットワークアナライザを接続イメージを示した説明図
【符号の説明】
【００４４】
１０１    ネットワーク機器
１０２    ネットワーク機器特定装置
１０３    ネットワークハブ
２０１    第一送受信部
２０２    第二送受信部
２０３    プロトコル解析部
２０４    送信相手表示部
２０５    受信情報表示部
２０６    送信元アドレス記憶部
３００    データパケット
３０１    ＩＰヘッダ
３０２    データフィールド
３０３    プロトコルフィールド
３０４    ソースＩＰアドレスフィールド
３０５    デスティネーションＩＰアドレスフィールド
４０１、４０２、４０３    ネットワーク機器
４０４    ネットワークハブ
４０５、４０６、４０７    ネットワーク機器特定装置
５００    ＩＰプロトコルパケット
５０１    ＩＰヘッダ
５０２    データ
５０３    独自パケット識別子
６０１    第一送受信部
６０２    第二送受信部
６０３    プロトコル解析部
６０４    送信相手表示部
６０５    受信情報表示部
７０１    第一送受信部
７０２    第二送受信部
７０３    プロトコル解析部
７０４    アドレス表示部
８０１、８０４    ネットワーク機器特定装置
８０２、８０５    ネットワーク機器
８０３    ネットワークハブ
９０１    ネットワークアナライザ
９０２〜９０４    ネットワーク機器１〜３
９０５    ネットワークハブ
【図１】
2005175755.tif 000003
【図２】
2005175755.tif 000004
【図３】
2005175755.tif 000005
【図４】
2005175755.tif 000006
【図５】
2005175755.tif 000007
【図６】
2005175755.tif 000008
【図７】
2005175755.tif 000009
【図８】
2005175755.tif 000010
【図９】
2005175755.tif 000011